【手続補正書】
【提出日】平成20年9月8日(2008.9.8)
【手続補正１】
【補正対象書類名】特許請求の範囲
【補正対象項目名】全文
【補正方法】変更
【補正の内容】
【特許請求の範囲】
【請求項１】
撮像装置に着脱可能に装着されるレンズ装置であって、
第１の操作手段と、
該第１の操作手段の操作に応じて、前記撮像装置の機能をコントロールするための信号を出力する制御手段と、
該レンズ装置の機能をコントロールするための第２の操作手段とを有し、
前記第１の操作手段は、前記第２の操作手段を操作する位置に置かれた使用者の手で操作可能な範囲に設けられていることを特徴とするレンズ装置。
【請求項２】
前記レンズ装置の該機能と前記撮像装置の該機能とが、撮影において併用される機能であることを特徴とする請求項１に記載のレンズ装置。
【請求項３】
請求項１又は２に記載のレンズ装置から入力された前記信号に応じて前記機能を実行することを特徴とする撮像装置。
【請求項４】
請求項１又は２に記載のレンズ装置と、
該レンズ装置から入力された前記信号に応じて前記機能を実行する撮像装置とを有することを特徴とする撮像システム。
【請求項５】
前記制御手段は、前記第１の操作手段が第１の状態にある場合に前記第２の操作手段の操作に応じて前記レンズ装置が有する第１の機能をコントロールし、前記第１の操作手段が第２の状態にある場合に前記第２の操作手段の操作に応じて前記撮像装置が有する第２の機能をコントロールするための信号を出力することを特徴とする請求項１から４のいずれか１つに記載のレンズ装置。
【請求項６】
前記第１の機能と前記第２の機能とが、撮影において併用される機能であることを特徴とする請求項５に記載のレンズ装置。
【請求項７】
前記第１の機能は前記レンズ装置の光学ズーム機能であり、前記第２の機能は前記撮像装置の電子ズーム機能であることを特徴とする請求項５又は６に記載のレンズ装置。
【請求項８】
前記第１の機能は前記レンズ装置の絞りを駆動する機能であり、前記第２の機能は前記撮像装置の電子シャッタに関する機能であることを特徴とする請求項５又は６に記載のレンズ装置。
【請求項９】
前記第１の操作手段は、前記第２の操作手段を操作する位置に置かれた使用者の手で操作可能な範囲に設けられていることを特徴とする請求項５から８のいずれか１つに記載のレンズ装置。
【請求項１０】
請求項５から９のいずれか１つに記載のレンズ装置から入力された前記信号に応じて前記第２の機能を実行することを特徴とする撮像装置。
【請求項１１】
請求項５から９のいずれか１つに記載のレンズ装置と、
該レンズ装置から入力された前記信号に応じて前記第２の機能を実行する撮像装置とを有することを特徴とする撮像システム。
【手続補正２】
【補正対象書類名】明細書
【補正対象項目名】００１０
【補正方法】変更
【補正の内容】
【００１０】
本発明は、撮像装置に着脱可能に装着されるレンズ装置であって、第１の操作手段と、該第１の操作手段の操作に応じて、撮像装置の機能をコントロールするための信号を出力する制御手段と、該レンズ装置の機能をコントロールするための第２の操作手段とを有し、第１の操作手段は、第２の操作手段を操作する位置に置かれた使用者の手で操作可能な範囲に設けられていることを特徴とする。
【手続補正３】
【補正対象書類名】明細書
【補正対象項目名】００１１
【補正方法】変更
【補正の内容】
【００１１】
なお、制御手段は、第１の操作手段が第１の状態にある場合に第２の操作手段の操作に応じてレンズ装置が有する第１の機能をコントロールし、第１の操作手段が第２の状態にある場合に第２の操作手段の操作に応じて撮像装置が有する第２の機能をコントロールするための信号を出力するようにしてもよい。
【手続補正４】
【補正対象書類名】明細書
【補正対象項目名】００１３
【補正方法】変更
【補正の内容】
【００１３】
また、第１の操作手段が第１の状態にある場合に第２の操作手段の操作に応じてレンズ装置が有する第１の機能をコントロールし、第１の操作手段が第２の状態にある場合に第２の操作手段の操作に応じて撮像装置が有する第２の機能をコントロールするための信号を出力するように制御手段を構成すれば、レンズ装置に設けられた第１の操作手段の切換えにより、第２の操作手段を通じてレンズ装置側の第１の機能をコントロールしたり撮像装置側の第２の機能をコントロールしたりすることができる。したがって、レンズ装置上に手を置いたまま第１および第２の機能を使用することができ、スムーズな撮影を行うことができる。
【手続補正５】
【補正対象書類名】明細書
【補正対象項目名】００１５
【補正方法】変更
【補正の内容】
【００１５】
図１には、本発明の実施例１である撮像システムの構成を示している。該撮像システムは、ビデオカメラ、一眼レフデジタルスチルカメラ等の撮像装置（以下、カメラという）９と、該カメラ９に着脱可能に装着される交換レンズ（レンズ装置）８とにより構成されている。なお、図中の線２０は、交換レンズ８とカメラ９との境界を示す。
【手続補正６】
【補正対象書類名】明細書
【補正対象項目名】００１８
【補正方法】変更
【補正の内容】
【００１８】
３は正の光学的パワーを有する固定の前玉レンズユニット、４は光軸方向に移動して変倍効果を得る変倍レンズユニット（バリエーターレンズ）、６は固定のアフォーカルレンズユニットである。また、７は光軸方向に移動して焦点調節を行うフォーカスレンズユニットであり、変倍中のピント移動を抑えるためのコンペンセータとしての働きも有する。
【手続補正７】
【補正対象書類名】明細書
【補正対象項目名】００３５
【補正方法】変更
【補正の内容】
【００３５】
２８は表示範囲切換え回路であり、電子ビューファインダ２９に映像信号のうちどの画面部分を表示するかを切り換える。例えば、撮影画面全体を表示する「標準」と、撮影画面の中心部のみを拡大表示する「拡大」とを切り換えることができる。なお、「拡大」表示する範囲は、画面中心部でなくてもよく、該範囲を撮影者（使用者）が予め設定できるようにしてもよい。
【手続補正８】
【補正対象書類名】明細書
【補正対象項目名】００８２
【補正方法】変更
【補正の内容】
【００８２】
以上のように、本実施例によれば、レンズ側に設けられた電子ズームＯＮ／ＯＦＦスイッチ３１がＯＦＦ（第１の状態）の場合には、ズームリング３２の操作によって、レンズ側の光学ズーム機能（第１の機能）をコントロールすることができる。また、電子ズームＯＮ／ＯＦＦスイッチ３１がＯＮ（第２の状態）の場合には、ズームリング３２の操作によって、カメラ側の電子ズーム機能（第２の機能）をコントロールすることができる。したがって、撮影に際して、光学ズームおよび電子ズームを含むズームの操作を、ズームリング３２から手を離さずにスムーズに行うことができる。
【手続補正９】
【補正対象書類名】明細書
【補正対象項目名】００８８
【補正方法】変更
【補正の内容】
【００８８】
カメラに設けられた不図示のダイヤルを操作して、ＡＥオフ又はＡＥロックの状態から、該スイッチ５０を「絞り」（第１の状態）にセットする。この状態において、露出調整リング（第２の操作手段）５１が回転操作されると、レンズＣＰＵ１５は該リング５１の回転方向および回転量を不図示のリング回転検出器を通じて検出する。そして、該検出結果に応じて、交換レンズ８１内に設けられた絞りユニット５の駆動（第１の機能）をコントロールする。これにより、マニュアル操作による露出調整を行うことができる。
【手続補正１０】
【補正対象書類名】明細書
【補正対象項目名】００８９
【補正方法】変更
【補正の内容】
【００８９】
また、同様の状態から該スイッチ５０が「シャッタ速度」（第２の状態）に設定された場合において、露出調整リング５１が回転操作されると、レンズＣＰＵ１５は該リング５１の回転方向および回転量をカメラＣＰＵ２３に通信する。これを受けたカメラＣＰＵ２３は、該リングの回転方向および回転量に応じて、撮像素子２４の電荷蓄積時間（電子シャッタのシャッタ速度：第２の機能）をコントロールする。
【手続補正１１】
【補正対象書類名】明細書
【補正対象項目名】００９０
【補正方法】変更
【補正の内容】
【００９０】
さらに、被写体の明るさに応じた露出が、絞りユニット５の開口径（絞り値）とシャッタ速度の両方を組み合わせて（併用して）コントロールされる場合において、該コントロールがカメラのメモリに記憶されたいわゆるプログラム線図に従う場合がある。この場合には、該スイッチ５０を「プログラム」（第２の状態）にセットする。
【手続補正１２】
【補正対象書類名】明細書
【補正対象項目名】００９１
【補正方法】変更
【補正の内容】
【００９１】
そして、露出調整リング５１が回転操作されると、レンズＣＰＵ１５は該リング５１の回転方向および回転量をカメラＣＰＵ２３に通信する。これを受けたカメラＣＰＵ２３は、該リングの回転方向および回転量に応じて、絞り値とシャッタ速度を該プログラム線図上で変更する（第２の機能）。絞り値の制御については、カメラＣＰＵ２３からレンズＣＰＵ１５に指令され、レンズＣＰＵ１５によって絞りユニット５が駆動される。なお、プログラム線図が複数ある場合には、その数だけ「プログラム」の選択ポジションを増やせばよい。